(57)【要約】【課題】光源に関する不具合が検出された場合であっても、画像を表示することができる表示装置、テレビ受信装置及びプログラムを提供する。【解決手段】基板に形成された配線と接続材で接続された配線を有する複数の光源から表示パネルに光を照射し、該表示パネルの画面に画像を表示する表示装置において、前記複数の光源に夫々対応する前記基板若しくは前記光源の配線又は前記接続材における特定箇所を検出する検出手段と、該検出手段が検出した特定箇所に対応する光源以外の光源を用いて、前記画面に画像を表示する表示手段とを備える。【選択図】図７
2013127521.tif 000002
【特許請求の範囲】
【請求項１】
基板に形成された配線と接続材で接続された配線を有する複数の光源から表示パネルに光を照射し、該表示パネルの画面に画像を表示する表示装置において、
前記複数の光源に夫々対応する前記基板若しくは前記光源の配線又は前記接続材における特定箇所を検出する検出手段と、
該検出手段が検出した特定箇所に対応する光源以外の光源を用いて、前記画面に画像を表示する表示手段と
を備える
ことを特徴とする表示装置。
【請求項２】
前記検出手段が検出した特定箇所に対応する光源以外の光源を点灯する点灯手段と、
前記基板上に設置された全光源の数に対する前記検出手段が検出した特定箇所に対応する光源の数の割合に基づいて、前記点灯手段が点灯する光源の輝度を調整する手段と
を備える
ことを特徴とする請求項１に記載の表示装置。
【請求項３】
前記検出手段が検出した特定箇所に基づいて、前記表示手段が画像を表示する前記画面の領域を決定する決定手段を備え、
前記表示手段は前記決定手段が決定した前記画面の領域に画像を表示するようにしてある
ことを特徴とする請求項１に記載の表示装置。
【請求項４】
前記基板は複数であり、
前記検出手段が検出した特定箇所に対応する基板以外の基板に接続された光源を点灯する光源点灯手段を備え、
前記決定手段は、前記光源点灯手段が点灯する光源に対応する前記画面の領域を、前記表示手段が画像を表示する前記画面の領域に決定するようにしてある
ことを特徴とする請求項３に記載の表示装置。
【請求項５】
前記表示手段が表示する画像は、前記検出手段が検出した特定箇所に対応する光源に関する情報を示す画像を含む
ことを特徴とする請求項１から請求項４までのいずれか一項に記載の表示装置。
【請求項６】
前記検出手段は、
前記配線に係る電圧若しくは電流又は前記接続材の温度を測定する測定手段を有し、
該測定手段が測定した前記配線に係る電圧若しくは電流又は前記接続材における温度を所定値と比較することにより、前記配線又は前記接続材の特定箇所を検出するようにしてある
ことを特徴とする請求項１から請求項５までのいずれか一項に記載の表示装置。
【請求項７】
前記検出手段は前記配線の短絡又は断線に関する特定箇所を検出するようにしてある
ことを特徴とする請求項１から請求項６までのいずれか一項に記載の表示装置。
【請求項８】
前記接続材は前記基板及び前記光源の間に溶着された半田である
ことを特徴とする請求項１から請求項７までのいずれか一項に記載の表示装置。
【請求項９】
請求項１から請求項８までのいずれか一項に記載の表示装置と、
テレビ放送を受信する受信部と
を備え、
前記表示手段は前記受信部が受信するテレビ放送に係る画像を前記画面に表示するようにしてある
ことを特徴とするテレビ受信装置。
【請求項１０】
基板に形成された配線と接続材で接続された配線を有する複数の光源から表示パネルに光を照射し、該表示パネルの画面に画像を表示する表示装置が備えるコンピュータに前記複数の光源を制御する処理を実行させるプログラムにおいて、
前記複数の光源に夫々対応する前記基板若しくは前記光源の配線又は前記接続材における特定箇所を受け付け、
受け付けた特定箇所に基づいて、点灯又は消灯する光源を決定し、
決定した光源を点灯又は消灯するための信号を生成する
処理をコンピュータに実行させることを特徴とするプログラム。
【発明の詳細な説明】
【技術分野】
【０００１】
本発明は、画像を表示する表示装置、テレビ受信装置及びプログラムに関する。
【背景技術】
【０００２】
直下型ＬＥＤ（Light Emitting Diode）バックライトを備える表示装置において、ＬＥＤに関する不具合を検出する技術がある（例えば、特許文献１参照）。ＬＥＤに関する不具合が検出された場合、実装されたプロテクタが作動し、表示装置はスタンバイ状態に移行する。
【先行技術文献】
【特許文献】
【０００３】
【特許文献１】特開平１０−２０８０８号公報
【発明の概要】
【発明が解決しようとする課題】
【０００４】
しかしながら、表示装置がスタンバイ状態に移行した場合、ユーザは画像を見ることができなくなる。
【０００５】
本発明は斯かる事情に鑑みてなされたものである。その目的は、光源に関する不具合が検出された場合であっても、画像を表示することができる表示装置、テレビ受信装置及びプログラムを提供することにある。
【課題を解決するための手段】
【０００６】
本願に係る表示装置は、基板に形成された配線と接続材で接続された配線を有する複数の光源から表示パネルに光を照射し、該表示パネルの画面に画像を表示する表示装置において、前記複数の光源に夫々対応する前記基板若しくは前記光源の配線又は前記接続材における特定箇所を検出する検出手段と、該検出手段が検出した特定箇所に対応する光源以外の光源を用いて、前記画面に画像を表示する表示手段とを備えることを特徴とする。
【０００７】
本願に係る表示装置では、基板に形成された配線と接続材で接続された配線を有する複数の光源及び光源から照射された光により画面に画像を表示する表示パネルを備える。表示装置は、複数の光源夫々に対応する基板若しくは光源の配線又は接続材における特定箇所を検出する。表示装置は、特定した特定箇所に対応する光源以外の光源を用いて、表示パネルの画面に画像を表示する。
【０００８】
本願に係る表示装置は、前記検出手段が検出した特定箇所に対応する光源以外の光源を点灯する点灯手段と、前記基板上に設置された全光源の数に対する前記検出手段が検出した特定箇所に対応する光源の数の割合に基づいて、前記点灯手段が点灯する光源の輝度を調整する手段とを備えることを特徴とする。
【０００９】
本願に係る表示装置では、検出した特定箇所に対応する光源以外の光源を点灯する。表示装置は、基板上に設置された全光源の数に対する特定された特定箇所に対応する光源の数の割合に基づいて、点灯する光源の輝度を調整する。
【００１０】
本願に係る表示装置は、前記検出手段が検出した特定箇所に基づいて、前記表示手段が画像を表示する前記画面の領域を決定する決定手段を備え、前記表示手段は前記決定手段が決定した前記画面の領域に画像を表示するようにしてあることを特徴とする。
【００１１】
本願に係る表示装置では、検出した特定箇所に基づいて、画像を表示する表示パネルの画面の領域を決定する。表示装置は、決定した表示パネルの画面の領域に画像を表示する。
【００１２】
本願に係る表示装置は、前記基板は複数であり、前記検出手段が検出した特定箇所に対応する基板以外の基板に接続された光源を点灯する光源点灯手段を備え、前記決定手段は、前記光源点灯手段が点灯する光源に対応する前記画面の領域を、前記表示手段が画像を表示する前記画面の領域に決定するようにしてあることを特徴とする。
【００１３】
本願に係る表示装置では、複数の基板を備えている。表示装置は、検出した特定箇所に対応する基板以外の基板に接続された光源を点灯する。
【００１４】
本願に係る表示装置は、前記表示手段が表示する画像は、前記検出手段が検出した特定箇所に対応する光源に関する情報を示す画像を含むことを特徴とする。
【００１５】
本願に係る表示装置では、表示パネルの画面に表示する画像は、検出した特定箇所に対応する光源に関する情報を示す画像を含む。
【００１６】
本願に係る表示装置は、前記検出手段は、前記配線に係る電圧若しくは電流又は前記接続材の温度を測定する測定手段を有し、該測定手段が測定した前記配線に係る電圧若しくは電流又は前記接続材における温度を所定値と比較することにより、前記配線又は前記接続材の特定箇所を検出するようにしてあることを特徴とする。
【００１７】
本願に係る表示装置では、複数の光源夫々に対応する基板若しくは光源の配線に係る電圧若しくは電流又は基板の配線と光源の配線とを接続する接続材における温度を測定する。表示装置は、測定した基板若しくは光源の配線に係る電圧若しくは電流又は接続材における温度を所定値と比較することにより、配線又は接続材の特定箇所を検出する。
【００１８】
本願に係る表示装置は、前記検出手段は前記配線の短絡又は断線に関する特定箇所を検出するようにしてあることを特徴とする。
【００１９】
本願に係る表示装置では、基板若しくは光源が有する配線の短絡又は断線に関する特定箇所を検出する。
【００２０】
本願に係る表示装置は、前記接続材は前記基板及び前記光源の間に溶着された半田であることを特徴とする。
【００２１】
本願に係る表示装置では、基板の配線と光源の配線とを接続する接続材は、基板と光源との間に溶着された半田である。
【００２２】
本願に係るテレビ受信装置は、上記の表示装置と、テレビ放送を受信する受信部とを備え、前記表示手段は前記受信部が受信するテレビ放送に係る画像を前記画面に表示するようにしてあることを特徴とする。
【００２３】
本願に係るテレビ受信装置では、上記の表示装置と、テレビ放送を受信する受信部とを備える。テレビ受信装置は、受信部が受信するテレビ放送に係る画像を表示パネルの画面に表示する。
【００２４】
本願に係るプログラムは、基板に形成された配線と接続材で接続された配線を有する複数の光源から表示パネルに光を照射し、該表示パネルの画面に画像を表示する表示装置が備えるコンピュータに前記複数の光源を制御する処理を実行させるプログラムにおいて、前記複数の光源に夫々対応する前記基板若しくは前記光源の配線又は前記接続材における特定箇所を受け付け、受け付けた特定箇所に基づいて、点灯又は消灯する光源を決定し、決定した光源を点灯又は消灯するための信号を生成する処理をコンピュータに実行させることを特徴とする。
【００２５】
本願に係るプログラムでは、複数の光源夫々に対応する基板若しくは光源の配線又は接続材における特定箇所を受け付ける処理をコンピュータに実行させる。プログラムは、受け付けた特定箇所に基づいて、点灯又は消灯する光源を決定し、決定した光源を点灯又は消灯するための信号を生成する処理をコンピュータに実行させる。
【発明の効果】
【００２６】
本願に係る表示装置等によれば、光源に関する不具合が検出された場合であっても、画像を表示することができる。
【図面の簡単な説明】
【００２７】
【図１】テレビ受信装置の構成例を示すブロック図である。
【図２】ＬＥＤの不良箇所を特定する方法の一例を示す説明図である。
【図３】バックライトにおけるＬＥＤ基板及びＬＥＤ列の分布の一例を示す説明図である。
【図４】点灯領域及び不点灯領域パターンの一例を示す説明図である。
【図５】点灯領域及び不点灯領域パターンの一例を示す説明図である。
【図６】点灯領域及び不点灯領域パターンの一例を示す説明図である。
【図７】画像表示の一例を示す説明図である。
【図８】不点灯領域及び画像表示の一例を示す説明図である。
【図９】不良箇所検出に伴う画像表示のために実行される処理の手順の一例を示したフローチャートである。
【図１０】バックライト制御部による制御処理の手順の一例を示したフローチャートである。
【図１１】不点灯領域及び画像表示の一例を示す説明図である。
【図１２】不良箇所検出に伴う画像表示のために実行される処理の手順の一例を示したフローチャートである。
【図１３】バックライト制御部による制御処理の手順の一例を示したフローチャートである。
【図１４】テレビ受信装置の構成例を示すブロック図である。
【図１５】半田の不良箇所を特定する方法の一例を示す説明図である。
【図１６】ＬＥＤ基板別に４分割されたバックライトの各領域を示す説明図である。
【図１７】図１６の各領域に関して点灯領域及び不点灯領域パターンの一例を示す説明図である。
【図１８】ＬＥＤ基板別に６分割されたバックライトの各領域を示す説明図である。
【図１９】図１８の各領域に関して点灯領域及び不点灯領域パターンの一例を示す説明図である。
【図２０】不良箇所検出に伴う画像表示のために実行される処理の手順の一例を示したフローチャートである。
【図２１】バックライト制御部による制御処理の手順の一例を示したフローチャートである。
【発明を実施するための形態】
【００２８】
以下、本発明の一実施例におけるテレビ受信装置を、実施の形態を示す図面に基づいて説明する。本実施の形態に係るテレビ受信装置は、後方の直下型バックライトから照射された光により、前方に画面を有する非発光型の表示パネルにテレビ放送に係る画像を表示する。テレビ受信装置が備える非発光型の表示パネルは、例えば液晶パネルである。
なお、本発明は、以下の実施の形態に限定されるものではない。
【００２９】
実施の形態１
図１は、テレビ受信装置１の構成例を示すブロック図である。テレビ受信装置１は、受信部２、画像入力部３、画像処理部４及び表示部５を含む。受信部２は、図示しないアンテナで受信したテレビ放送に係るＲＦ（Radio Frequency）信号を増幅し、特定チャンネルの画像信号を選択するチューナである。画像入力部３は、外部の画像再生装置が出力した画像信号を受け付ける入力端子である。また、画像入力部３は、画像信号を伝達する通信網に接続する接続端子でもある。受信部２又は画像入力部３は、受け付けた画像信号を画像処理部４に出力する。
【００３０】
画像処理部４は、受け付けた画像信号から一定の時間間隔で抽出した画像信号（フレーム）及び画像信号の階調度を取得する。画像処理部４は、取得した画像信号に対して各種の画像処理を施す。ここでの各種画像処理は、例えばＲＧＢ信号を生成する処理、デジタル変換処理、色空間変換処理、スケーリング処理、色補正処理、同期検出処理、ガンマ補正処理、ＯＳＤ（On-Screen Display）表示処理、画像のサイズ調整処理等を含む。画像処理部４は、各種画像処理を経た画像信号を表示部５及び制御部７に出力する。
【００３１】
なお、テレビ受信装置１は、受信部２又は画像入力部３から画像信号を受け付け、受け付けた画像信号から音声信号を抽出する音声処理部を備えていてもよい。かかる場合、音声処理部は、抽出した音声信号を図示しないスピーカ等の音声出力手段に出力する。
【００３２】
表示部５は、液晶パネル（表示パネル）５１及びバックライト５２を含む。液晶パネル５１は、画像を表示する画面をテレビ受信装置１の正面側に有する。画面には、マトリクス状に配置された複数の画素が備えられている。液晶パネル５１は、液晶駆動部（表示手段）５１１を含む。液晶駆動部５１１は、画像処理部４から受け付けた画像信号に基づいて、画面を構成するマトリクス状に配置された複数の画素を駆動し、画面に画像を表示する。
なお、液晶駆動部５１１は、表示部５の外部に設けられてもよい。かかる場合、液晶駆動部５１１は、例えば図１において画像処理部４と表示部５との間に設けられる。
【００３３】
バックライト５２は、液晶パネル５１の背面側に配設される直下型である。バックライト５２は、ＬＥＤ基板（基板）５２１及びＬＥＤ（光源）５２２を含む。バックライト５２は、細長い矩形状の複数の領域に全体が分割されており、各領域には、矩形状のＬＥＤ基板５２１が設置されている。ＬＥＤ基板５２１に設けられた配線とＬＥＤ５２２の配線としての足とは、例えば半田で溶着されている。各領域のＬＥＤ５２１は直列に接続されている。
なお、半田は接続材の一例である。接続材として、金、銀、銅、パラジウム等を含む合金又は半田代替接続フィルムが用いられてもよい。また、ＬＥＤ５２２の代わりに、冷陰極蛍光ランプ又は白熱電球が用いられてもよい。
バックライト５２は、ＬＥＤ５２２が発光する光を液晶パネル５１の背面に照射する。
【００３４】
テレビ受信装置１は、検出部（検出手段）６、制御部（決定手段、コンピュータ）７、バックライト制御部（点灯手段、光源の輝度を調整する手段、光源点灯手段）８及びＬＥＤ基板用電源回路９を含む。
検出部６は、電流検出回路（測定手段）６１、電圧検出回路（測定手段）６２及び比較部６３を含む。
電流検出回路６１は、領域毎に直列に接続されたＬＥＤ５２２を流れる電流を検出する回路である。電圧検出回路６２は、直列に接続されたＬＥＤ５２２間の配線と接地電位との電位差を検出する回路である。
【００３５】
比較部６３は、コンパレータであり、例えば電流値及び電圧値を所定値と比較する回路である。比較部６３は、電流検出回路６１及び電圧検出回路６２が夫々検出した電流値及び電圧値を受け付け、受け付けた電流値及び電圧値を夫々所定値と比較する。ここでの所定値は、ＬＥＤ５２２の配線に関して不良箇所がない、正常な場合のＬＥＤ５２２の配線に関する電流値及び電圧値である。また、ここでの不良箇所は、ＬＥＤ基板５２１に形成された配線及びＬＥＤ５２２が有する配線において、断線（オープン）又は短絡（ショート）した位置である。比較部６３は、比較した結果を制御部７に出力する。ＬＥＤ５２２が有する配線は、例えばアノード足、カソード足、リードフレーム、ボンディングワイヤ（金線、銀線、銅線）等である。
【００３６】
なお、比較部６３の機能を制御部７が実行してもよい。例えば、制御部７は、電流検出回路６１及び電圧検出回路６２が夫々検出した電流値及び電圧値を受け付ける。制御部７は、受け付けた電流値及び電圧値を所定値と比較する処理を実行する。
【００３７】
制御部７は、ＣＰＵ（Central Processing Unit）７１、ＲＡＭ（Random Access Memory）７２及びＲＯＭ（Read Only Memory）７３等からなるマイクロコンピュータである。ＲＯＭ７３には、ＣＰＵ７１が実行するための処理を記述したプログラム１Ｐが記憶されている。ＣＰＵ７１は、ＲＯＭ７３に記憶されたプログラム１ＰをＲＡＭ７２に読み出し、読み出したプログラム１Ｐの処理を実行する。
【００３８】
制御部７は、テレビ受信装置１が備える各構成部を制御する。例えば、制御部７は、比較部６３から電流値及び電圧値に関する比較結果を受け付け、受け付けた比較結果に基づいて、ＬＥＤ５２２の配線に関する不良箇所を特定する。また、制御部７は、特定したＬＥＤ５２２の配線に関する不良箇所に基づいて、ＬＥＤ５２２を点灯する点灯領域及びＬＥＤ５２２を不点灯にする不点灯領域を決定する。点灯領域及び不点灯領域は、バックライト５２に配設されたＬＥＤ５２２の区域である。制御部７は、決定した点灯領域及び不点灯領域をバックライト制御部８に出力する。
【００３９】
バックライト制御部８は、バックライト５２の各ＬＥＤ５２２を制御する制御回路である。バックライト制御部８がＬＥＤ５２２を制御する内容は、例えばＬＥＤ５２２の点灯、不点灯、点灯する場合の輝度等である。バックライト制御部８は、制御部７から点灯領域及び不点灯領域を受け付け、点灯領域に対応するＬＥＤ５２２を点灯させ、不点灯領域に対応するＬＥＤ５２２を消灯させる信号を生成する。バックライト制御部８は、生成した信号をＬＥＤ基板用電源回路９に送信する。
なお、バックライト制御部８の機能を制御部７が有していてもよい。かかる場合、バックライト制御部８はなくてもよい。
【００４０】
ＬＥＤ基板用電源回路９は、ＬＥＤ基板５２１に電源を供給する回路である。ＬＥＤ基板用電源回路９は、点灯領域に対応するＬＥＤ５２２を点灯させ、不点灯領域に対応するＬＥＤ５２２を消灯させる信号をバックライト制御部８から受信する。ＬＥＤ基板用電源回路９は、受信した信号に基づいて、点灯領域に対応するＬＥＤ基板５２１に電源を供給し、不点灯領域に対応するＬＥＤ基板５２１に電源を供給しない。
【００４１】
制御部７は、画像処理部４から画像信号を受け付ける。制御部７は、生成した点灯領域に対応した画面部分に表示する画像になるように、受け付けた画像信号に基づいて画像の表示位置を変更する情報及び画像の拡大縮小に関する情報を画像処理部４に出力する。また、制御部７は、点灯領域に対応する画面部分にＬＥＤ５２２の不具合に関する注意情報を表示する場合、当該注意情報を含む画像信号も画像処理部４に出力する。
【００４２】
画像処理部４は、制御部７から画像の表示位置及び大きさを変更する情報を受け付ける。画像処理部４は、受け付けた情報に基づいて、液晶パネル５１に出力する画像信号に対して、画像の表示位置変更処理及びサイズ調整処理を実行する。画像処理部４は、制御部７から注意情報が含まれた画像信号を受信した場合、当該画像信号を表示位置変更処理及びサイズ調整処理を施した画像信号に組み込む処理を実行する。画像処理部４は、処理後の画像信号を液晶パネル５１に出力する。
【００４３】
次に、テレビ受信装置１の動作について説明する。
テレビ受信装置１は、ＬＥＤ５２２の不良箇所を検出し、不良箇所以外のＬＥＤ５２２を用いて画像を表示する画面の領域を決定する。テレビ受信装置１は、決定した画面の領域に画像を表示する。その際、決定した領域の一部又は全部に注意情報を表示する。
【００４４】
図２は、ＬＥＤ５２２の不良箇所を特定する方法の一例を示す説明図である。図２では、ＬＥＤ基板５２１を省略している。
ＬＥＤ基板５２１には、直列に接続された例えば４列のＬＥＤ５２２が設置されている。ＬＥＤ基板用電源回路９は、第一電源、第二電源、第三電源及び第四電源を含み、各電源は４列のＬＥＤ５２２夫々に接続されている。図２では、列毎に３個のＬＥＤ５２２が描かれており、４個目以降のＬＥＤ５２２は省略されている。電流検出回路６１は、各列のＬＥＤ５２２間の配線５２３と接続されている。電圧検出回路６２は、一端が接地されている。電圧検出回路６２の他端は、各列のＬＥＤ５２２間の配線５２３と接続されている。ただし、図２では、簡略化のために、電圧検出回路６２の他端が第二電源から２個目のＬＥＤ５２２と３個目のＬＥＤ５２２との間の配線５２３と接続されている例のみを示している。
【００４５】
電流検出回路６１は、各列の各ＬＥＤ５２２を流れる電流を検出し、検出した電流の値を比較部６３に出力する。比較部６３は、受け付けた電流値を閾値と比較することにより、受け付けた電流値が正常なＬＥＤ５２２を流れる電流の値より大きい、小さい又は同じかを判定する。
【００４６】
例えば、閾値α＞閾値βの関係を有する閾値を設定する。比較部６３は、受け付けた電流値が閾値αより大きい場合、受け付けた電流値は正常なＬＥＤ５２２を流れる電流の値より大きいと判定する。比較部６３は、受け付けた電流値が閾値βより小さい場合、受け付けた電流値は正常なＬＥＤ５２２を流れる電流の値より小さいと判定する。比較部６３は、受け付けた電流値が閾値αと閾値βとの間である場合、受け付けた電流値は正常なＬＥＤ５２２を流れる電流の値と同じと判定する。比較部６３は、電流に関する判定結果をＬＥＤ５２２の列毎に制御部７に出力する。
なお、比較部６３は、各列のＬＥＤ５２２毎に電流に関する判定結果を制御部７に出力してもよい。
【００４７】
電圧検出回路６２は、各列の各ＬＥＤ５２２の間と接地電位との電位差を検出し、検出した電位差を電圧値として比較部６３に出力する。比較部６３は、各列の各ＬＥＤ５２２間について、受け付けた電圧値を閾値と比較する。比較部６３は、当該比較により、受け付けた電圧値が接地電位と同じ値まで下がったか、正常な場合の電位差と同じ値を維持しているか、あるいは正常な場合の電圧値と接地電位との間まで下がったかを判定する。
【００４８】
例えば、閾値ε＞閾値δ＞閾値γの関係を有する閾値を設定する。比較部６３は、受け付けた電圧値が閾値γより小さい場合、受け付けた電圧値は接地電位と同じ値まで下がったと判定する。比較部６３は、受け付けた電圧値が閾値γと閾値δとの間である場合、受け付けた電圧値は正常な場合の電圧値と接地電位との間まで下がったと判定する。比較部６３は、受け付けた電圧値が閾値εより大きい場合、受け付けた電圧値は正常な場合と同じ値を維持していると判定する。なお、電圧値との比較対象である閾値は、直列に接続された各ＬＥＤ５２２の間毎に異なる。比較部６３は、電圧に関する判定結果をＬＥＤ５２２の各列のＬＥＤ５２２の間毎に制御部７に出力する。
【００４９】
制御部７は、比較部６３が判定した電流及び電圧に関する判定結果を受け付ける。制御部７は、受け付けた電流及び電圧に関する判定結果に基づいて、ＬＥＤ５２２に不良箇所があるか否かを判定する。また、制御部７は、ＬＥＤ５２２に不良箇所がある場合、その不良箇所の位置と不良内容を特定する。ここでの不良内容は、短絡又は断線である。
【００５０】
ここで仮に、図２の鎖線で囲んだ配線５２３部分（第二電源からカソード側に２個目のＬＥＤ５２２と３個目のＬＥＤ５２２との間の配線５２３部分）で短絡又は断線が生じたとして、検出部６、制御部７、バックライト制御部８及びＬＥＤ基板用電源回路９の動作について説明する。
まず、図２の鎖線で囲んだ配線５２３部分が短絡したとする。電流検出回路６１は、第二電源に接続されたＬＥＤ５２２列の電流を検出し、検出した電流の値を比較部６３に出力する。比較部６３は、受け付けた電流値を閾値と比較し、受け付けた電流値は正常な場合の電流値より大きいと判定する。これは、短絡により過電流が流れるからである。比較部６３は、電流に関する判定結果を制御部７に出力する。
【００５１】
電圧検出回路６２は、第二電源に接続された各ＬＥＤ５２２間の電圧を検出し、検出した電圧の値を比較部６３に出力する。比較部６３は、受け付けた電圧値を閾値と比較し、不良箇所より下流側の電圧は接地電位と同じ値まで下がったと判定する。他方、比較部６３は、不良箇所より上流側の電圧は、正常な場合の電圧値と接地電位との間まで下がったと判定する。比較部６３は、電圧に関する判定結果を制御部７に出力する。
【００５２】
次に、図２の鎖線で囲んだ配線５２３部分が断線したとする。電流検出回路６１は、第二電源に接続されたＬＥＤ５２２列の電流を検出し、検出した電流の値を比較部６３に出力する。比較部６３は、受け付けた電流値を閾値と比較し、受け付けた電流値は正常なＬＥＤ５２２を流れる電流の値より小さいと判定する。これは、断線により電流はほとんど流れないからである。比較部６３は、電流に関する判定結果を制御部７に出力する。
【００５３】
電圧検出回路６２は、第二電源に接続された各ＬＥＤ５２２間の電圧を検出し、検出した電圧の値を比較部６３に出力する。比較部６３は、受け付けた電圧値を閾値と比較し、不良箇所より下流側の電圧は接地電位と同じ値まで下がったと判定する。他方、比較部６３は、不良箇所より上流側の電圧は、正常な場合と同じ値を維持していると判定する。比較部６３は、電圧に関する判定結果を制御部７に出力する。
【００５４】
制御部７は、第二電源と接続されたＬＥＤ５２２列について、比較部６３から電流及び電圧に関する判定結果を受け付ける。
制御部７は、測定した電流値が正常な場合の電流値より大きいという判定結果を受け付けた場合、第二電源と接続されたＬＥＤ５２２列で短絡が生じたと判定する。また、制御部７は、測定した電圧値が、下流側では接地電位と同じ値まで下がり、上流側では正常な場合の電圧値と接地電位との間まで下がったと判定された箇所を、第二電源と接続されたＬＥＤ５２２列で短絡が生じた箇所に特定する。
【００５５】
他方、制御部７は、測定値した電流値が正常な場合の電流値より小さいという判定結果を受け付けた場合、第二電源と接続されたＬＥＤ５２２列で断線が生じたと判定する。また、制御部７は、測定した電圧値が、下流側では接地電位と同じ値まで下がり、上流側では正常な場合と同じ値を維持していると判定された箇所を、第二電源と接続されたＬＥＤ５２２列で断線が生じた箇所に特定する。
【００５６】
制御部７は、特定した不良箇所に基づいて、ＬＥＤ５２２を点灯する点灯領域及びＬＥＤ５２２を不点灯にする不点灯領域を決定する。制御部７は、決定した点灯領域及び不点灯領域をバックライト制御部８に出力する。
【００５７】
バックライト制御部８は、制御部７から点灯領域及び不点灯領域を受け付け、点灯領域に対応するＬＥＤ５２２を点灯させ、不点灯領域に対応するＬＥＤ５２２を消灯させる信号を生成する。バックライト制御部８は生成した信号をＬＥＤ基板用電源回路９に送信する。ＬＥＤ基板用電源回路９は、バックライト制御部８から受信した信号に基づいて、点灯領域に対応するＬＥＤ基板５２１に電源を供給し、不点灯領域に対応するＬＥＤ基板５２１に電源を供給しない。
【００５８】
制御部７が点灯領域及び不点灯領域を決定する動作について説明する。
図３は、バックライト５２におけるＬＥＤ基板５２１及びＬＥＤ５２２列の分布の一例を示す説明図である。バックライト５２は、横に３列、縦に８列のＬＥＤ基板５２１を含む。各ＬＥＤ基板５２１は横方向に細長い矩形状をなす。各ＬＥＤ基板５２１の上には、６個のＬＥＤ５２２がＬＥＤ基板５２１の長辺方向と略平行に配設されている。図３の場合、２４枚のＬＥＤ基板５２１が配置し、バックライト５２はＬＥＤ基板５２１又はＬＥＤ５２２列に対応する２４個の領域に分割されている。
【００５９】
図３には、各ＬＥＤ基板５２１又はＬＥＤ５２２列のバックライト５２における位置を表現するため、便宜上座標が振られている。横列は、右から左に向かって、１、２、３の数字でバックライト５２における位置を示す。縦列は、Ａ、Ｂ、Ｃ等のアルファベットでバックライト５２における位置を示す。
【００６０】
制御部７が有するＲＯＭ７３には、不良箇所が検出されたＬＥＤ５２２を含むＬＥＤ５２２列に対応する点灯領域及び不点灯領域をパターン化したパターンファイル（図示せず）が記憶されている。不良箇所が検出されたＬＥＤ５２２を含むＬＥＤ５２２列が特定された場合、そのＬＥＤ５２２列及びＲＯＭ７３に記憶されたパターンファイルに基づいて、制御部７は点灯領域及び不点灯領域を決定する。
【００６１】
図４は、点灯領域５２ａ及び不点灯領域５２ｂパターンの一例を示す説明図である。バックライト５２の各領域に記された×は不良箇所が検出された領域を、○は不良箇所が検出されなかった領域を表している。
図４Ａは、Ａ１〜Ｈ１の領域を不点灯領域５２ｂとし、他の領域を点灯領域５２ａとするパターンを示している。つまり、図４Ａは、バックライト５２の左端列に属する領域のＬＥＤ５２２列にＬＥＤ５２２の不良箇所が検出された場合の点灯領域５２ａ及び不点灯領域５２ｂパターンである。なお、不良箇所が検出されたＬＥＤ５２２を含むＬＥＤ５２２列は、Ａ１〜Ｈ１のうち１つでもよいし、複数でもよい。
【００６２】
図４Ｂは、Ａ３〜Ｈ３の領域を不点灯領域５２ｂとし、他の領域を点灯領域５２ａとするパターンを示している。つまり、図４Ｂは、バックライト５２の右端列に属する領域のＬＥＤ５２２列にＬＥＤ５２２の不良箇所が検出された場合の点灯領域５２ａ及び不点灯領域５２ｂパターンである。なお、不良箇所が検出されたＬＥＤ５２２を含むＬＥＤ５２２列は、Ａ３〜Ｈ３のうち１つでもよいし、複数でもよい。
【００６３】
図５は、点灯領域５２ａ及び不点灯領域５２ｂパターンの一例を示す説明図である。バックライト５２の各領域に記された×は不良箇所が検出された領域を、○は不良箇所が検出されなかった領域を表している。
図５Ａは、Ａ２の領域に不良箇所が検出された場合、Ａ１〜Ａ３の領域を不点灯領域５２ｂとし、他の領域を点灯領域５２ａとするパターンを示している。図５Ｂは、Ａ２及びＢ２の領域に不良箇所が検出された場合、Ａ１〜Ｂ３の領域を不点灯領域５２ｂとし、他の領域を点灯領域５２ａとするパターンを示している。図５Ｃは、Ａ２、Ｂ２及びＣ２の領域に不良箇所が検出された場合、Ａ１〜Ｃ３の領域を不点灯領域５２ｂとし、他の領域を点灯領域５２ａとするパターンを示している。図５Ｄは、Ａ２、Ｂ２、Ｃ２及びＤ２の領域に不良箇所が検出された場合、Ａ１〜Ｄ３の領域を不点灯領域５２ｂとし、他の領域を点灯領域５２ａとするパターンを示している。
なお、図５において、不良箇所が検出されたＬＥＤ５２２を含むＬＥＤ５２２列は、横方向のＡ１〜Ａ３、Ｂ１〜Ｂ３、Ｃ１〜Ｃ３及びＤ１〜Ｄ３のうち夫々１つでもよいし、複数でもよい。
【００６４】
図６は、点灯領域５２ａ及び不点灯領域５２ｂパターンの一例を示す説明図である。バックライト５２の各領域に記された×は不良箇所が検出された領域を、○は不良箇所が検出されなかった領域を表している。
図６では、Ｂ３の領域にのみＬＥＤ５２２の不良箇所が検出され、Ｂ３の領域のみを不点灯領域５２ｂとし、他の領域を点灯領域５２ａとするパターンを示している。
【００６５】
図４は、縦方向に不良箇所が検出されたＬＥＤ５２２が複数分布する場合を含み、不点灯領域５２ｂは画面の縦方向に連続している。
図５は、横方向に不良箇所が検出されたＬＥＤ５２２が複数分布する場合を含み、不点灯領域５２ｂは画面の横方向に連続している。
図６は、不良箇所が検出されたＬＥＤ５２２が単独で分布する場合であり、不点灯領域５２ｂは画面内で孤立している。
検出されたＬＥＤ５２２の不良箇所に対応させて予めどのような点灯領域５２ａ及び不点灯領域５２ｂパターンをパターンファイルに記述するかということは、自由に行われてよい。
【００６６】
図７は、画像表示の一例を示す説明図である。図７Ａは、ＬＥＤ５２２に不具合が発生する前の画面を示す。図７Ｂは、ＬＥＤ５２２の不良箇所が検出された後の画面を示す。
図７の例では、制御部７は、比較部６３の判定結果に基づいて、図４Ａに類似する点灯領域５２ａ及び不点灯領域５２ｂパターンを決定している。図７Ｂの点灯領域５２ａに対応する画面の領域には、例えば図７Ａの画像が縮小して表示されている。
画像が表示される画面部分は、制御部７が決定した点灯領域５２ａ及び不点灯領域５２ｂパターンの点灯領域５２ａに対応する画面部分である。従って、制御部７が点灯領域５２ａ及び不点灯領域５２ｂパターンを決定することは、画像を表示する画面部分を決定することでもある。
【００６７】
ＬＥＤ５２２の不良箇所が検出された後の点灯領域５２ａに対応する画面部分の広さは、不具合が発生する前の画面の広さより狭い。そのため、制御部７は、画像処理部４から受け付けた画像信号に基づいて、点灯領域５２ａに対応する画面部分に画像全体が表示されるように、画像の表示位置を変更する情報及び画像の縮小に関する情報を生成する。制御部７は生成した画像に関する情報を画像処理部４に出力する。画像処理部４は、制御部７から画像を変更する情報を受け付ける。画像処理部４は、受け付けた情報に基づいて、液晶パネル５１に出力する画像信号に対して、画像の表示位置変更処理及びサイズ調整処理を実行する。
【００６８】
図８は、不点灯領域５２ｂ及び画像表示の一例を示す説明図である。図８に係るテレビ受信装置１は、ＬＥＤ５２２単位で、不良箇所の特定並びにＬＥＤ５２２の点灯及び消灯をできるものとする。図８Ａは、ＬＥＤ５２２に不具合が発生した場合、その不良箇所を×マークで示したバックライト５２に関する説明図である。図８Ａにおける不点灯領域５２ｂは、バックライト５２の右上角部を占め、閉じた鎖線で示されている。なお、図８Ａでは、点灯領域５２aの符号を省略している。
【００６９】
図８Ｂは、ＬＥＤ５２２の不良箇所が検出された後の液晶パネル５１の画面を示す。図８Ｂの例では、不点灯領域５２ｂに対応する画面部分以外に画像を表示している。不点灯領域５２ｂに対応する画面部分以外の画面上段には、ＬＥＤ５２２に関する注意を促すメッセージが表示されている。当該メッセージは、例えば「一部のバックライト用ＬＥＤが消灯していますので、問い合わせをお願いします。」である。以下、この注意情報を表示する画像を注意情報表示画像１ｃと呼ぶ。注意情報表示画像１ｃの下には、ＬＥＤ５２２の不良箇所が検出される前に表示されていた画像が引き続き縮小して表示される。
【００７０】
制御部７は、注意情報表示画像１ｃを表示する場合、注意情報表示画像１ｃの画像信号も画像処理部４に出力する。画像処理部４は、制御部７から注意情報表示画像１ｃの画像信号を受け付けた場合、当該画像信号を表示位置変更処理及びサイズ調整処理を施した画像信号に組み込む処理を実行する。画像処理部４は、処理後の画像信号を液晶駆動部５１１に出力する。
【００７１】
図９は、不良箇所検出に伴う画像表示のために実行される処理の手順の一例を示したフローチャートである。
ＣＰＵ７１は、画像処理部４から画像信号を受け付ける（ステップＳ１０１）。ＣＰＵ７１は、比較部６３が判定した電流及び電圧に関する判定結果を受け付ける（ステップＳ１０２）。ＣＰＵ７１は、受け付けた電流及び電圧に関する判定結果に基づいて、ＬＥＤ５２２に不良箇所があるか否かを判定する（ステップＳ１０３）。ステップＳ１０３は、不良箇所がある場合、その位置を特定する処理も含む。ＣＰＵ７１は、受け付けた電流及び電圧に関する判定結果に基づいて、ＬＥＤ５２２に不良箇所がないと判定した場合（ステップＳ１０３：ＮＯ）、バックライト５２の全領域を点灯領域５２ａに決定する（ステップＳ１０４）。ＣＰＵ７１は、決定した点灯領域５２ａをバックライト制御部８に出力し（ステップＳ１０５）、処理を終了する。
【００７２】
ＣＰＵ７１は、受け付けた電流及び電圧に関する判定結果に基づいて、ＬＥＤ５２２に不良箇所があると判定した場合（ステップＳ１０３：ＹＥＳ）、ＬＥＤ５２２の不良箇所に基づいて、点灯領域５２ａ及び不点灯領域５２ｂを決定する（ステップＳ１０６）。ＣＰＵ７１は、決定した点灯領域５２ａ及び不点灯領域５２ｂをバックライト制御部８に出力する（ステップＳ１０７）。なお、ステップＳ１０７において、ＣＰＵ７１は、ステップＳ１０１で受け付けた画像信号に基づいて、バックライト制御部８が点灯領域５２ａの各ＬＥＤ５２２の輝度を設定するための輝度データを生成する。そして、ＣＰＵ７１は、生成した輝度データをバックライト制御部８に出力する。
【００７３】
ＣＰＵ７１は、画像処理部４から受け付けた画像信号に基づいて、点灯領域５２ａに応じて、画面において画像の表示位置を変更する情報及び画像の縮小に関する情報を生成する（ステップＳ１０８）。ＣＰＵ７１は、注意情報表示画像１ｃの画像信号を生成する（ステップＳ１０９）。ＣＰＵ７１は、生成した画像に関する情報及び注意情報表示画像１ｃの画像信号を画像処理部４に出力し（ステップＳ１１０）、処理を終了する。
なお、画像処理部４は、ＣＰＵ７１から受け付けた画像に関する情報及び注意情報表示画像１ｃの画像信号に基づいて、各処理を実行する。画像処理部４は、処理後の画像信号を液晶駆動部５１１に出力する。
【００７４】
図１０は、バックライト制御部８による制御処理の手順の一例を示したフローチャートである。なお、バックライト制御部８の機能を制御部７が有する場合、ＣＰＵ７１が図１０の処理を実行してもよい。
バックライト制御部８は、ＣＰＵ７１から点灯領域５２ａ、又は点灯領域５２ａ及び不点灯領域５２ｂを受け付ける（ステップＳ２０１）。なお、ステップＳ２０１には、バックライト制御部８がＣＰＵ７１から輝度データを受け付ける処理が含まれる。
【００７５】
バックライト制御部８は、点灯領域５２ａに対応するＬＥＤ５２２を点灯させ、不点灯領域５２ｂに対応するＬＥＤ５２２を消灯させる信号を生成する（ステップＳ２０２）。なお、ステップＳ２０２で生成される信号には、受け付けた輝度データに応じてＬＥＤ５２２を点灯させる信号も含まれる。バックライト制御部８は、生成した信号をＬＥＤ基板用電源回路９に送信し（ステップＳ２０３）、処理を終了する。
【００７６】
なお、ＬＥＤ基板用電源回路９は、バックライト制御部８から受信した信号に基づいて、点灯領域５２ａに対応するＬＥＤ基板５２１に電源を供給し、不点灯領域５２ｂに対応するＬＥＤ基板５２１に電源を供給しない。
表示部５のバックライト５２は、ＬＥＤ基板用電源回路９からの給電に基づいてＬＥＤ５２２を点灯させる。表示部５の液晶駆動部５１１は、画像処理部４から受け付けた画像信号を液晶パネル５１の画面に表示する。
【００７７】
図２の例では、ＬＥＤ５２２の不良箇所をＬＥＤ５２２個々のレベルで検出した。例えば、電圧検出回路６２の他端は、ＬＥＤ５２２の不良箇所を４列×１列当たりのＬＥＤ５２２の個数だけ、各列のＬＥＤ５２２間の配線５２３と接続された。しかし、ＬＥＤ５２２の不良箇所は、ＬＥＤ５２２個々ではなく、より大まかなＬＥＤ５２２の個数単位で検出されてもよい。そのために、各ＬＥＤ５２２列について、複数個の隣り合うＬＥＤ５２２群にまとめる。そして、電圧検出回路６２の他端は、まとめたＬＥＤ５２２群単位の間の配線５２３と接続されてもよい。例えば、電圧検出回路６２の他端は、直列に接続された４個のＬＥＤ５２２毎に、ＬＥＤ５２２間の配線５２３と接続されてもよい。これにより、検出部６の製造コストを低減することができる。
【００７８】
テレビ受信装置１によれば、ＬＥＤ５２２に係る配線５２３に不具合が検出された場合であっても、画像を表示することができる。
ＬＥＤに不良箇所が発見された場合、プロテクタが作動するため、従来のテレビ受信装置を利用するユーザは画像を見ることができなかった。しかし、テレビ受信装置１は、ＬＥＤ５２２の不良箇所を検出した場合、その不良箇所に基づいて、バックライト５２における点灯領域５２ａ及び不点灯領域５２ｂを決定する。テレビ受信装置１は、点灯領域５２ａに対応する画面の領域に画像を表示する。これにより、ユーザは画像を見続けることができる。
【００７９】
テレビ受信装置１によれば、ＬＥＤ５２２の不良箇所が検出された場合、注意情報表示画像１ｃを画面に表示する。これにより、ユーザは、テレビ受信装置１の不具合内容を認知することができ、サービスセンターにテレビ受信装置１の修理を依頼するという行動指針を得ることができる。また、ユーザは、テレビ受信装置１が修理のために引き取られるまでの期間も、テレビ視聴が可能である。
【００８０】
ＬＥＤ基板用電源回路９に含まれる一部の電源とＬＥＤ基板５２１の配線５２３とを接続するコネクタが不具合になり、コネクタが外れた場合にも、本実施の形態に係る配線５２３の断線と同じ処理により、テレビ受信装置１は画像を表示し続けることができる。
【００８１】
実施の形態２
実施の形態２は、バックライト５２全体に対する不点灯領域５２ｂの面積が狭い場合、点灯領域５２ａにおける全ＬＥＤ５２２の輝度を下げる形態に関する。
本実施の形態に係るテレビ受信装置１の構成は、図１に示したテレビ受信装置１の構成例と同じである。
【００８２】
図１１は、不点灯領域５２ｂ及び画像表示の一例を示す説明図である。図１１に係るテレビ受信装置１は、ＬＥＤ５２２単位で、不良箇所の特定並びにＬＥＤ５２２の点灯及び消灯をできるものとする。図１１Ａは、ＬＥＤ５２２に不具合が発生した場合、その不良箇所を×マークで示したバックライト５２に関する説明図である。不点灯領域５２ｂは、閉じた鎖線で示されている。なお、図１１Ａでは、点灯領域５２aの符号を省略している。図１１Ａの点灯領域５２ａに属するＬＥＤ５２２の輝度は全体的に下げられている。
【００８３】
図１１Ｂは、ＬＥＤ５２２の不良箇所が検出された後の液晶パネル５１の画面を示す。画像は図１１Ｂの画面全体に表示されている。画像は、注意情報表示画像１ｃを含む。
【００８４】
バックライト５２全体に対する不点灯領域５２ｂの面積が狭い場合、点灯領域５２ａにおける全ＬＥＤ５２２の輝度を下げることにより、バックライト５２全体の輝度は平均化され、不点灯領域５２ｂにおける暗さは目立たなくなる。これにより、ＬＥＤ５２２の不良箇所が検出される前に表示されていた画像が引き続き画面全体に表示されても、画像を視聴するユーザは違和感を抱かない。
【００８５】
制御部７は、比較部６３から電流及び電圧に関する判定結果を受け付ける。制御部７は、受け付けた判定結果に基づいて、点灯領域５２ａ及び不点灯領域５２ｂを決定する。また、制御部７は、不点灯領域比を算出する。不点灯領域比は、例えば
不点灯領域５２ｂの面積／（点灯領域５２ａの面積＋不点灯領域５２ｂの面積）
又は
不点灯領域５２ｂのＬＥＤ５２２の数／（点灯領域５２ａのＬＥＤ５２２の数＋不点灯領域５２ｂのＬＥＤ５２２の数）
である。
あるいは、不点灯領域比は、
不点灯領域５２ｂのＬＥＤ基板５２１の数／（点灯領域５２aのＬＥＤ基板５２１の数＋不点灯領域５２ｂのＬＥＤ基板５２１の数）
又は
不点灯領域５２ｂのＬＥＤ基板５２１の面積／（点灯領域５２aのＬＥＤ基板５２１の面積＋不点灯領域５２ｂのＬＥＤ基板５２１の面積）
でもよい。
【００８６】
制御部７は、画像処理部４から受け付けた画像信号に基づいて、バックライト制御部８がＬＥＤ５２２の輝度を設定するための輝度データを生成する。
制御部７は、算出した不点灯領域比と所定の閾値とを比較する。制御部７は、算出した不点灯領域比が所定の閾値より小さい場合、点灯領域５２ａのＬＥＤ５２２の輝度を一律に所定量だけ下げるために、生成した輝度データを変更する。そのために、上記閾値と上記所定量を予めＲＯＭ７３に記憶しておく。制御部７は、変更した輝度データをバックライト制御部８に出力する。
【００８７】
なお、算出した不点灯領域比が所定の閾値より小さい場合、制御部７が変更する輝度データは、点灯領域５２ａのＬＥＤ５２２の輝度を所定量下げるものではなくてもよい。かかる場合、制御部７は、不点灯領域比に比例する輝度量を算出し、点灯領域５２ａのＬＥＤ５２２の輝度を一律に算出した輝度量だけ下げる輝度データを生成する。不点灯領域比が大きいほど、ＬＥＤ５２２の輝度を下げる量を大きくした場合、ユーザは画像に違和感を抱きにくいためである。
【００８８】
図１２は、不良箇所検出に伴う画像表示のために実行される処理の手順の一例を示したフローチャートである。図１２の処理は、図９のステップＳ１０７とステップＳ１０８との間に挿入される処理である。なお、ステップＳ１０７において、ＣＰＵ７１は輝度データの生成処理及び出力処理をしないものとする。
ＣＰＵ７１は、画像処理部４から受け付けた画像信号に基づいて、輝度データを生成する（ステップＳ３０１）。ＣＰＵ７１は、不点灯領域比を算出する（ステップＳ３０２）。ＣＰＵ７１は、算出した不点灯領域比が閾値より小さいかを否か判定する（ステップＳ３０３）。ＣＰＵ７１は、算出した不点灯領域比が閾値より小さくないと判定した場合（ステップＳ３０３：ＮＯ）、ステップＳ３０５に処理を進める。
【００８９】
ＣＰＵ７１は、算出した不点灯領域比が閾値より小さいと判定した場合（ステップＳ３０３：ＹＥＳ）、点灯領域５２ａのＬＥＤ５２２の輝度を一律に所定量だけ下げるように輝度データを変更する（ステップＳ３０４）。ＣＰＵ７１は、変更した輝度データをバックライト制御部８に出力し（ステップＳ３０５）、ステップＳ１０８に処理を進める。
【００９０】
図１３は、バックライト制御部８による制御処理の手順の一例を示したフローチャートである。なお、バックライト制御部８の機能を制御部７が有する場合、ＣＰＵ７１が図１３の処理を実行してもよい。
バックライト制御部８は、ＣＰＵ７１から点灯領域５２ａ、又は点灯領域５２ａ及び不点灯領域５２ｂを受け付ける（ステップＳ４０１）。バックライト制御部８は、ＣＰＵ７１から輝度データを受け付ける（ステップＳ４０２）。バックライト制御部８は、受け付けた輝度データに基づいて、点灯領域５２ａに対応する各ＬＥＤ５２２の輝度を設定する（ステップＳ４０３）。バックライト制御部８は、点灯領域５２ａに対応するＬＥＤ５２２を設定した輝度で点灯させ、不点灯領域５２ｂに対応するＬＥＤ５２２を消灯させる信号を生成する（ステップＳ４０４）。バックライト制御部８は、生成した信号をＬＥＤ基板用電源回路９に送信し（ステップＳ４０５）、処理を終了する。
【００９１】
上述では、不点灯領域比が所定の閾値より小さい場合、点灯領域５２ａのＬＥＤ５２２の輝度を一律に所定量下げた。これとは別に、又はこれと同時に、液晶駆動部５１１が画面の画素を駆動する際に、不点灯領域比に応じた制御を行ってもよい。そのために、制御部７は、液晶駆動部５１１が画素を駆動する際の制御データを生成し、生成した制御データを画像処理部４又は液晶駆動部５１１に出力する。
【００９２】
テレビ受信装置１によれば、不点灯領域５２ｂが狭い場合、点灯領域５２ａの全てのＬＥＤ５２２の輝度を下げることにより、バックライト５２の明るさを平均化することができる。これにより、ユーザにとって、不点灯領域５２ｂは目立たなくなり、画面全体に画像を表示しても違和感は無い。
【００９３】
また、注意情報表示画像１ｃが画面に表示されることにより、ユーザはサービスセンターへ修理の依頼連絡をすることができる。
なお、テレビ受信装置１に対する所定操作により、１度表示された注意情報表示画像１ｃは、その後表示されないようにしてもよい。これにより、サービスセンターへ連絡を済ましたユーザは、テレビ受信装置１がサービスセンターに引き取られるまでの間、画面全体に表示されるコンテンツ画像を見ることが可能となる。
【００９４】
本実施の形態２は以上の如きであり、その他は実施の形態１と同様であるので、対応する部分には同一の参照番号を付してその詳細な説明を省略する。
【００９５】
実施の形態３
実施の形態３は、ＬＥＤ基板５２１とＬＥＤ５２２とを接続する接続材の温度が所定温度より高くなった場合、当該ＬＥＤ基板５２１以外のＬＥＤ基板５２１上のＬＥＤ５２２を点灯させ、液晶パネル５１の画面に画像を表示する形態に関する。以下では、接続材は半田であるものとする。
【００９６】
図１４は、テレビ受信装置１の構成例を示すブロック図である。本実施の形態に係るテレビ受信装置１の構成は、実施の形態１に係るテレビ受信装置１の構成例と略同一である。本実施の形態に係るテレビ受信装置１の構成部分のうち、実施の形態１と異なる構成部は、検出部（検出手段）６０、Ａ／Ｄ変換部１０及びプログラム２Ｐである。
【００９７】
検出部６０は、温度センサ（測定手段）６４を含む。温度センサ６４は、例えば白金抵抗温度計、サーミスタ温度計又は熱電温度計である。温度センサ６４は、ＬＥＤ基板５２１上に実装されており、ＬＥＤ基板５２１とＬＥＤ５２２とを接続する半田の温度を測定する。温度センサ６４は、測定した温度のアナログ値をＡ／Ｄ変換部１０に出力する。Ａ／Ｄ変換部１０は、温度センサ６４から温度のアナログ値を受け付け、受け付けたアナログ値をデジタル値に変換する回路である。Ａ／Ｄ変換部１０は、変換した温度のデジタル値（以下、Ａ／Ｄ値と記す）を制御部７に出力する。
【００９８】
制御部７のＲＯＭ７３はプログラム２Ｐを記憶している。プログラム２Ｐには、ＣＰＵ７１が実行する本実施の形態に係る処理が記述されている。ＣＰＵ７１は、ＲＯＭ７３に記憶されたプログラム２ＰをＲＡＭ７２に読み出し、読み出したプログラム２Ｐの処理を実行する。
【００９９】
次に、テレビ受信装置１の動作について説明する。
図１５は、半田の不良箇所を特定する方法の一例を示す説明図である。図１５の左側にバックライト５２を示す。バックライト５２は、例えば４枚のＬＥＤ基板５２１を有し、４枚のＬＥＤ基板５２１に対応して４つの領域に分割されている。１つの領域のＬＥＤ基板５２１は、複数のエリア５２２aから構成されている。例えば、図１５の例では、１枚のＬＥＤ基板５２１は５×３＝１５個のエリア５２２ａから構成されている。１つのエリア５２２ａには、例えば４個のＬＥＤ５２２が設置されている。
【０１００】
制御部７、バックライト制御部８及びＬＥＤ基板用電源回路９は、バックライト５２のＬＥＤ５２２をエリア５２２ａ単位で点灯又は消灯する。
温度センサ６４（図１５には図示せず）は、ＬＥＤ基板５２１毎に１つずつ実装されている。各温度センサ６４とＡ／Ｄ変換部１０とは、配線で接続されている。Ａ／Ｄ変換部１０は、記憶部を有し、各ＬＥＤ基板５２１に対応するＡ／Ｄ値を当該記憶部の異なる所定のアドレスに格納する。Ａ／Ｄ変換部１０は、アドレス情報が関連付けられたＡ／Ｄ値を制御部７に出力する。
【０１０１】
制御部７は、Ａ／Ｄ変換部１０からアドレス情報が関連付けられたＡ／Ｄ値を受け付ける。制御部７は、受け付けたアドレス情報に基づいて、受け付けたＡ／Ｄ値がどのＬＥＤ基板５２１に対応したデータであるかを認識する。制御部７は、受け付けたＡ／Ｄ値を所定温度に対応する閾値と比較する。制御部７は、受け付けたＡ／Ｄ値が閾値より大きい場合、当該Ａ／Ｄ値に対応するＬＥＤ基板５２１では、所定温度より高温の半田が測定されたと判定する。例えば、図１５における×マークが記された箇所で温度センサ６４により測定された温度が所定温度を越えた場合、制御部７は、バックライト５２における左上の領域では、所定温度より高温の半田が測定されたと決定する。
【０１０２】
他方、制御部７は、受け付けたＡ／Ｄ値が閾値より小さい場合、当該Ａ／Ｄ値に対応するＬＥＤ基板５２１では、所定温度より高温の半田が測定されなかったと判定する。
制御部７は、全てのＬＥＤ基板５２１について、所定温度より高温の半田が測定されたか否かを判定し、点灯領域５２ａ及び不点灯領域５２ｂパターンが記述されたパターンファイル（図示せず）を参照することにより、点灯領域５２ａ及び不点灯領域５２ｂを決定する。そこで、まず点灯領域５２ａ及び不点灯領域５２ｂパターンについて説明する。
【０１０３】
図１６は、ＬＥＤ基板５２１別に４分割されたバックライト５２の各領域を示す説明図である。図１６Ａは、ＬＥＤ基板５２１、エリア５２２ａ及びＬＥＤ５２２を含むバックライト５２の実体に近い各領域を示している。図１６Ｂは、簡略化したバックライト５２の各領域を示している。以下、バックライト５２の左上の領域をα、左下の領域をβ、右上の領域をγ、右下の領域をδと呼ぶ。
【０１０４】
図１７は、図１６の各領域に関して点灯領域５２ａ及び不点灯領域５２ｂパターンの一例を示す説明図である。×マークは、高温の半田が測定された箇所を示している。白抜きの領域は点灯領域５２ａに対応し、斜線が描かれた領域は不点灯領域５２ｂに対応する。
【０１０５】
図１７Ａは、αの領域を不点灯領域５２ｂとし、他の領域を点灯領域５２ａとするパターンを示している。つまり、図１７Ａは、αの領域で高温の半田が測定された場合の点灯領域５２ａ及び不点灯領域５２ｂパターンである。テレビ受信装置１は、例えばβの領域に対応する画面部分に注意情報表示画像１ｃを表示する。他方、テレビ受信装置１は、例えばγ及びδの領域に対応する画面部分にテレビ放送に係る画像を表示する。
【０１０６】
図１７Ｂは、βの領域を不点灯領域５２ｂとし、他の領域を点灯領域５２ａとするパターンを示している。つまり、図１７Ｂは、βの領域で高温の半田が測定された場合の点灯領域５２ａ及び不点灯領域５２ｂパターンである。テレビ受信装置１は、例えばαの領域に対応する画面部分に注意情報表示画像１ｃを表示する。他方、テレビ受信装置１は、例えばγ及びδの領域に対応する画面部分にテレビ放送に係る画像を表示する。
【０１０７】
図１７Ｃは、γの領域を不点灯領域５２ｂとし、他の領域を点灯領域５２ａとするパターンを示している。つまり、図１７Ｃは、γの領域で高温の半田が測定された場合の点灯領域５２ａ及び不点灯領域５２ｂパターンである。テレビ受信装置１は、例えばδの領域に対応する画面部分に注意情報表示画像１ｃを表示する。他方、テレビ受信装置１は、例えばα及びβの領域に対応する画面部分にテレビ放送に係る画像を表示する。
【０１０８】
図１７Ｄは、δの領域を不点灯領域５２ｂとし、他の領域を点灯領域５２ａとするパターンを示している。つまり、図１７Ｄは、δの領域で高温の半田が測定された場合の点灯領域５２ａ及び不点灯領域５２ｂパターンである。テレビ受信装置１は、例えばγの領域に対応する画面部分に注意情報表示画像１ｃを表示する。他方、テレビ受信装置１は、例えばα及びβの領域に対応する画面部分にテレビ放送に係る画像を表示する。
【０１０９】
図１８は、ＬＥＤ基板５２１別に６分割されたバックライト５２の各領域を示す説明図である。図１８Ａは、ＬＥＤ基板５２１、エリア５２２ａ及びＬＥＤ５２２を含むバックライト５２の実体に近い各領域を示している。図１８Ｂは、簡略化したバックライト５２の各領域を示している。以下、バックライト５２の上段左端の領域をα、下段左端の領域をβと呼ぶ。バックライト５２の上段中央の領域をγ、下段中央の領域をδと呼ぶ。バックライト５２の上段右端の領域をε、下段右端の領域をζと呼ぶ。
【０１１０】
図１９は、図１８の各領域に関して点灯領域５２ａ及び不点灯領域５２ｂパターンの一例を示す説明図である。×マークは、高温の半田が測定された箇所を示している。白抜きの領域は点灯領域５２ａに対応し、斜線が描かれた領域は不点灯領域５２ｂに対応する。
【０１１１】
図１９Ａは、αの領域で高温の半田が測定され、α及びβの領域を不点灯領域５２ｂとし、他の領域を点灯領域５２ａとするパターンを示している。テレビ受信装置１は、例えば点灯領域５２ａに対応する画面部分にテレビ放送に係る画像及び注意情報表示画像１ｃを表示する。
【０１１２】
図１９Ｂは、βの領域で高温の半田が測定され、α及びβの領域を不点灯領域５２ｂとし、他の領域を点灯領域５２ａとするパターンを示している。テレビ受信装置１は、例えば点灯領域５２ａに対応する画面部分にテレビ放送に係る画像及び注意情報表示画像１ｃを表示する。
【０１１３】
図１９Ｃは、γの領域で高温の半田が測定され、他の領域を点灯領域とするパターンを示している。テレビ受信装置１は、例えばα及びβ、又はε及びζに対応する画面部分にテレビ放送に係る画像を表示する。テレビ受信装置１は、例えば、δに対応する画面部分に注意情報表示画像１ｃを表示する。
【０１１４】
図１９Ｄは、δの領域で高温の半田が測定され、他の領域を点灯領域とするパターンを示している。テレビ受信装置１は、例えばα及びβ、又はε及びζに対応する画面部分にテレビ放送に係る画像を表示する。テレビ受信装置１は、例えば、γに対応する画面部分に注意情報表示画像１ｃを表示する。
【０１１５】
図１９Ｅは、εの領域で高温の半田が測定され、ε及びζの領域を不点灯領域５２ｂとし、他の領域を点灯領域５２ａとするパターンを示している。テレビ受信装置１は、例えば点灯領域５２ａに対応する画面部分にテレビ放送に係る画像及び注意情報表示画像１ｃを表示する。
【０１１６】
図１９Ｆは、ζの領域で高温の半田が測定され、ε及びζの領域を不点灯領域５２ｂとし、他の領域を点灯領域５２ａとするパターンを示している。テレビ受信装置１は、例えば点灯領域５２ａに対応する画面部分にテレビ放送に係る画像及び注意情報表示画像１ｃを表示する。
【０１１７】
図１７及び図１９において、どの点灯領域５２ａに対応する画面部分にコンテンツの映像を表示し、どの点灯領域５２ａに対応する画面部分に注意情報表示画像１ｃを表示するかというパターンは１通りではない。図１７及び図１９とは別に、高温の半田が測定されたＬＥＤ基板５２１が複数である場合、点灯領域５２ａ及び不点灯領域５２ｂパターンは多岐に渡る。そこで、予め高温の半田が測定された様々なＬＥＤ基板５２１の組み合わせに対応する点灯領域５２ａ及び不点灯領域５２ｂパターンを作成し、当該パターンを記述したパターンファイルをＲＯＭ７３に記憶しておく。
【０１１８】
制御部７は、Ａ／Ｄ変換部１０から受け付けたＡ／Ｄ値に基づいて、全てのＬＥＤ基板５２１について、所定温度より高温の半田が測定されたか否かを判定する。制御部７は、パターンファイルを参照し、所定温度より高温の半田が測定されたＬＥＤ基板５２１の組み合わせに対応する点灯領域５２ａ及び不点灯領域５２ｂを決定する。制御部７は、決定した点灯領域５２ａ及び不点灯領域５２ｂの情報をバックライト制御部８に出力する。
【０１１９】
バックライト制御部８は、制御部７から点灯領域５２ａ及び不点灯領域５２ｂを受け付け、点灯領域５２ａに対応するＬＥＤ基板５２１の全エリア５２２ａのＬＥＤ５２２を点灯させる信号を生成する。また、バックライト制御部８は、不点灯領域５２ｂに対応するＬＥＤ基板５２１の全エリア５２２ａのＬＥＤ５２２を消灯させる信号を生成する。ＬＥＤ基板用電源回路９は、受信した信号に基づいて、点灯領域５２aに対応するＬＥＤ基板５２１のエリア５２２ａに電源を供給し、不点灯領域５２ｂに対応するＬＥＤ基板５２１のエリア５２２ａに電源を供給しない。
【０１２０】
図２０は、不良箇所検出に伴う画像表示のために実行される処理の手順の一例を示したフローチャートである。
ＣＰＵ７１は、画像処理部４から画像信号を受け付ける（ステップＳ５０１）。ＣＰＵ７１は、Ａ／Ｄ変換部１０から各ＬＥＤ基板５２１に対応するＡ／Ｄ値を受け付ける（ステップＳ５０２）。ＣＰＵ７１は、受け付けたＡ／Ｄ値を閾値と比較することにより、所定温度より高温の半田が測定されたＬＥＤ基板５２１があるか否かを判定する（ステップＳ５０３）。ＣＰＵ７１は、所定温度より高温の半田が測定されたＬＥＤ基板５２１がないと判定した場合（ステップＳ５０３：ＮＯ）、バックライト５２の全領域を点灯領域５２ａに決定する（ステップＳ５０４）。ＣＰＵ７１は、決定した点灯領域５２ａをバックライト制御部８に出力し（ステップＳ５０５）、処理を終了する。
【０１２１】
ＣＰＵ７１は、所定温度より高温の半田が測定されたＬＥＤ基板５２１があると判定した場合（ステップＳ５０３：ＹＥＳ）、高温の半田が測定されたＬＥＤ基板５２１の組み合わせに基づいて、パターンファイルを参照し、点灯領域５２ａ及び不点灯領域５２ｂを決定する（ステップＳ５０６）。ＣＰＵ７１は、決定した点灯領域５２ａ及び不点灯領域５２ｂをバックライト制御部８に出力する（ステップＳ５０７）。
【０１２２】
ＣＰＵ７１は、画像処理部４から受け付けた画像信号に基づいて、点灯領域５２ａに応じて、画面において画像の表示位置を変更する情報及び画像の縮小に関する情報を生成する（ステップＳ５０８）。ＣＰＵ７１は、注意情報表示画像１ｃの画像信号を生成する（ステップＳ５０９）。ＣＰＵ７１は、生成した画像に関する情報及び注意情報表示画像１ｃの画像信号を画像処理部４に出力し（ステップＳ５１０）、処理を終了する。
【０１２３】
図２１は、バックライト制御部８による制御処理の手順の一例を示したフローチャートである。なお、バックライト制御部８の機能を制御部７が有する場合、ＣＰＵ７１が図２１の処理を実行してもよい。
バックライト制御部８は、ＣＰＵ７１から点灯領域５２ａ、又は点灯領域５２ａ及び不点灯領域５２ｂを受け付ける（ステップＳ６０１）。バックライト制御部８が点灯領域５２ａのみを受け付ける場合は、どのＬＥＤ基板５２１についても所定温度より高温の半田が測定されなかった場合である。バックライト制御部８が点灯領域５２ａ及び不点灯領域５２ｂを受け付ける場合は、少なくとも１枚のＬＥＤ基板５２１について所定温度より高温の半田が測定された場合である。
【０１２４】
バックライト制御部８は、点灯領域５２ａに対応するＬＥＤ基板５２１の全エリア５２２ａのＬＥＤ５２２を点灯させ、不点灯領域５２ｂに対応するＬＥＤ基板５２１の全エリア５２２ａのＬＥＤ５２２を消灯させる信号を生成する（ステップＳ６０２）。ステップＳ６０２において、バックライト制御部８はエリア５２２ａ別にＬＥＤ５２２を点灯又は消灯させる信号を生成する。バックライト制御部８は、生成した信号をＬＥＤ基板用電源回路９に送信し（ステップＳ６０３）、処理を終了する。
【０１２５】
本実施の形態では、半田の高温状態が測定された場合、その半田が溶着されたＬＥＤ基板５２１単位でＬＥＤ５２２が消灯された。しかし、テレビ受信装置１は、半田の高温状態が測定された場合、エリア５２２ａ単位でＬＥＤ５２２を消灯してもよい。そのためには、温度センサ６４をエリア５２２ａ単位でＬＥＤ基板５２１に実装すればよい。
本実施の形態に係るテレビ受信装置１は、エリア５２２ａ別にＬＥＤ５２２を制御することができる。そこで、テレビ受信装置１は、エリア５２２ａ別のＡ／Ｄ値を閾値と比較することにより、エリア５２２ａ単位で点灯領域５２ａ及び不点灯領域５２ｂを決定する。そして、半田が所定温度より高温となったエリア５２２ａのＬＥＤ５２２のみを消灯させることにより、引き続き画像を表示する画面部分の面積を増大させることができる。
更には、温度センサ６４をＬＥＤ５２２単位でＬＥＤ基板５２１に実装し、バックライト５２をＬＥＤ５２２単位で制御してもよい。
【０１２６】
本実施の形態に、実施の形態２を組み込んでもよい。すなわち、テレビ受信装置１は、不点灯領域比を算出し、算出した不点灯領域比が所定値より小さい場合、点灯領域５２ａのＬＥＤ５２２の輝度を全体的に下げる。これにより、バックライト５２の光を平均化させ、不点灯領域５２ｂを目立たなくさせることができる。そして、ユーザは、違和感のない画像を見ることができる。
【０１２７】
テレビ受信装置１によれば、ＬＥＤ基板５２１とＬＥＤ５２２とを接続する半田の温度が所定温度以上に上昇しても、画像を表示することができる。
ＬＥＤ基板５２１とＬＥＤ５２２とを接続する半田の温度は、ＬＥＤ５２２及び周囲部品からの発熱により上昇する。高温の半田に応力が加わる場合、半田にクラック、剥離又は変形が発生する虞がある。また、高温の半田に高電圧が印加された場合、火花が発生する虞がある。更に、高温の半田は柔らかくなり、ＬＥＤ基板５２１に対するＬＥＤ５２２の固定力が低下する。延いては、デバイス破壊が生じる可能性がある。そこで、従来のテレビ受信装置は、半田の温度が所定温度以上に上昇した場合、プロテクタを作動させ、スタンバイ状態に移行する。それ以降、ユーザは画像を視聴することができなくなる。
しかしながら、テレビ受信装置１は、所定温度以上に温度が上昇した半田に係るＬＥＤ基板５２１への給電を停止する一方で、正常なＬＥＤ基板５２１のＬＥＤ５２２を点灯させることにより、引き続き画像を表示する。そのため、修理のためにテレビ受信装置１がサービスセンターに引き取られるまでの期間、ユーザは画像を楽しむことができる。特に、テレビ受信装置１が大型画面を備える場合、一部領域のＬＥＤ５２２を消灯しても、十分な画像表示面積を確保することができる。
【０１２８】
本実施の形態３は以上の如きであり、その他は実施の形態１、２と同様であるので、対応する部分には同一の参照番号を付してその詳細な説明を省略する。
【符号の説明】
【０１２９】
１          テレビ受信装置
２          受信部
５          表示部
５１        液晶パネル（表示パネル）
５１１      液晶駆動部（表示手段）
５２        バックライト
５２１      ＬＥＤ基板（基板）
５２２      ＬＥＤ（光源）
５２３      配線
６、６０    検出部（検出手段）
６１        電流検出回路（測定手段）
６２        電圧検出回路（測定手段）
６４        温度センサ（測定手段）
７          制御部（決定手段、コンピュータ）
８          バックライト制御部（点灯手段、光源の輝度を調整する手段、光源点灯手段）
９          ＬＥＤ基板用電源回路
１０        Ａ／Ｄ変換部
１Ｐ、２Ｐ  プログラム
【図１】
2013127521.tif 000003
【図２】
2013127521.tif 000004
【図３】
2013127521.tif 000005
【図４】
2013127521.tif 000006
【図５】
2013127521.tif 000007
【図６】
2013127521.tif 000008
【図７】
2013127521.tif 000009
【図８】
2013127521.tif 000010
【図９】
2013127521.tif 000011
【図１０】
2013127521.tif 000012
【図１１】
2013127521.tif 000013
【図１２】
2013127521.tif 000014
【図１３】
2013127521.tif 000015
【図１４】
2013127521.tif 000016
【図１５】
2013127521.tif 000017
【図１６】
2013127521.tif 000018
【図１７】
2013127521.tif 000019
【図１８】
2013127521.tif 000020
【図１９】
2013127521.tif 000021
【図２０】
2013127521.tif 000022
【図２１】
2013127521.tif 000023